(57)【要約】【課題】レーザーポインティングデバイスのレーザーモジュール構造を提供する。【解決手段】レーザーポインティングデバイスのレーザーモジュール構造において、レーザーモジュール２の殼体２１内部には收納空間２１０を形成し、しかも收納空間２１０内の出光口１１から離れた片側には光線を発するレーザーダイオード２２を設置し、出光口１１に隣接する片側には一体成形の光学プリズム２３を成形し、光学プリズム２３のレーザーダイオード２２に隣接する片側にはフォーカス部２３１を設置し、反対側には屈折部２３２を設置し、フォーカス部２３１及び屈折部２３２は分けて製造する必要がなく、組み立てに便利で、全体の体積を減らすこともできる。【選択図】図１
0003214059.tif 000002
【実用新案登録請求の範囲】
【請求項１】
レーザーポインティングデバイスのレーザーモジュール構造は、該レーザーポインティングデバイスは外殼を備え、該外殼内部には、収容設置空間を形成し、しかも該収容設置空間片側には、出光口を穿設し、該収容設置空間内の出光口に隣接する片側箇所には、レーザービームを発するレーザーモジュールを設置し、しかも該レーザーモジュールは該出光口反対側に相対し、該レーザーモジュールを駆動し、レーザービームを発する回路モジュールを電気的に連接し、該回路モジュールはレーザーモジュール反対側に相対し、レーザーポインティングデバイスが必要とする電気エネルギーを供給する電源モジュールを電気的に連接し、
該レーザーモジュールは、中空殼体を備え、該殼体内部には、收納空間を形成し、しかも該收納空間内の出光口から離れた片側には、該回路モジュールと電気的導通を形成し、レーザー光線を発するレーザーダイオードを設置し、該收納空間内の出光口に隣接する片側には、一体成形の光学プリズムを設置し、該光学プリズムのレーザーダイオードに相対する片側には、レーザー光線をフォーカスしレーザービームを形成するフォーカス部を設置し、該フォーカス部のレーザーダイオードから離れた片側には、レーザービームを通過させ偏折現象を生じる屈折部を設置することを特徴とするレーザーポインティングデバイスのレーザーモジュール構造。
【請求項２】
前記光学プリズムのフォーカス部を通過したレーザービームの方向は、屈折部を通過したレーザービームの方向との間は、設定挟角を呈し、しかも該設定挟角は、０〜９０度の間であることを特徴とする請求項１に記載のレーザーポインティングデバイスのレーザーモジュール構造。
【請求項３】
前記レーザーモジュールの光学プリズムにより、投射されたレーザービームは光点状光型或いは非光点状光型を呈し、しかも該非光点状光型は、線状光型或いは十字光型であることを特徴とする請求項１に記載のレーザーポインティングデバイスのレーザーモジュール構造。
【考案の詳細な説明】
【技術分野】
【０００１】
本考案はレーザーポインティングデバイスのレーザーモジュール構造に関し、特にレーザーモジュールの光学プリズムのレーザーダイオードに隣接する片側にはフォーカス部を設置し、反対側には屈折部を設置し、しかも光学プリズムは一体成形により製造するため、加工製造が便利で、しかも全体の使用空間を減らし、体積を縮小する効果を備えるレーザーポインティングデバイスのレーザーモジュール構造に関する。
【背景技術】
【０００２】
一般にレーザーポインティングデバイスの使用時には、スイッチにより内部の電池を駆動しレーザー回路を制御し、こうしてレーザーユニットは通電し、レーザービームを発生する。
レーザーポインティングデバイス前端には、光透過孔を開設し、レーザービームは光透過孔位置から投射される。
レーザービームは、レーザーユニットより直線的に射出されるため、使用者は使用時に、腕を回さなければ、レーザービーム射出の方向を変えることはできない。
しかし、下方へと腕を回すのは、人体筋肉の組成から行って、決して快適な動きではない。
そのため、長時間使用すると、使用者の腕への負担もそれにつれて増大し、腕の筋肉のだるさ、疼痛等の不快感を生じやすい。
【０００３】
前述の問題を解決するため、レーザービームの投射角度を変えられるレーザーポインティングデバイスが開発された。
それは、レーザーユニット投射方向の前方に反射鏡を設置し、レーザーユニットがレーザービームを発する際に、反射鏡の反射作用により、ビームが進む角度を変え、腕を回す角度を減らすことで、使用上の快適性を向上させるものである。
【０００４】
また、水平測定機能を提供し、施工上の利便性を高めるため、レーザーポインティングデバイスの中には、レーザービーム射出の光型を線形としたり、十字形等の形状としたりするものもある。
それは、レーザーユニットの投射方向の前方にレンズを設置し、レーザービームはレンズを通過すると、レンズの屈折現象を利用し投射された光型を改変するものである。
使用者は、異なるレンズを用いることで、必要なレーザービームの光型を得ることができ、これにより使用の利便性を達成することができる。
【０００５】
しかし、レーザービームの投射角度を変えられるレーザーポインティングデバイスであろうと、光型を変えられるレーザーポインティングデバイスであろうと、別に構成部材（反射鏡或いはレンズ）を追加で設置しなければならない。
しかし、追加で設置する構成部材は、別に製造する必要があるばかりか、組み立てのコストもかかり、しかも構成部材を追加で設置するためには、レーザーポインティングデバイス全体の体積を拡大しなければならず、使用においてスムーズ性が失われ、しかも体積が拡大したレーザーポインティングデバイスは全体の重量も重くなり、腕の不快感を生じさせてしまう。
【先行技術文献】
【特許文献】
【０００６】
特開2006-39980号公報
【考案の概要】
【考案が解決しようとする課題】
【０００７】
本考案の目的は、上述の従来の構造に存在する問題と欠点を解決できるレーザーポインティングデバイスのレーザーモジュール構造を提供することである。
【課題を解決するための手段】
【０００８】
本考案のレーザーモジュールは、中空殼体を備え、該殼体内部には、收納空間を形成し、しかも該收納空間内の出光口から離れた片側には、該回路モジュールと電気的導通を形成するレーザーダイオードを設置し、該收納空間内の出光口に隣接する片側には一体成形の光学プリズムを成形し、該光学プリズムのレーザーダイオードに隣接する片側にはフォーカス部を設置し、該フォーカス部のレーザーダイオードから離れた片側には屈折部を設置し、該レーザーモジュールの光学プリズムは、一体成形方式により製造されるため、光学プリズムのフォーカス部及び屈折部は、一体成形を呈し、別々に製造する必要がなく、加工製造が便利で、しかも外殼の収容設置空間を占める空間を減らせ、これによりレーザーポインティングデバイス全体の体積を縮小でき、こうして携帯に便利で、しかも長時間持っても手がだるくなることがないという目的を達成できる。
【０００９】
本考案の光学プリズムは屈折部を通して、レーザービームの進行角度を変えられるため、腕を過度に回す必要がなく、水平或いは快適な角度であれば、レーザービームを必要な位置へと投射して指示でき、使用の利便性という目的を達成できる。
【００１０】
本考案の光学プリズムは、研磨機を用いて研磨し、通過するレーザービームは屈折現象を生じ、こうして光点状光型或いは非光点状光型（線状光型或いは十字光型等）を呈し、使用者は異なる使用状況に応じて、異なる光型を選択して使用でき、こうして多用途の目的を達成できる。
【考案の効果】
【００１１】
本考案は、携帯に便利で、しかも長時間持っても手がだるくなることがないという目的、使用の利便性という目的、多用途の目的を達成することができる。
【図面の簡単な説明】
【００１２】
【図１】本考案の側視断面図である。
【図２】本考案第一実施例使用時の側視断面図である。
【図３】本考案第二実施例使用時の側視断面図である。
【図４】本考案第三施例使用時の側視断面図である。
【考案を実施するための形態】
【００１３】
本考案の側視断面図、第一実施例使用時の側視断面図、第二実施例使用時の側視断面図及び第三施例使用時の側視断面図である図１?４に示すように、レーザーポインティングデバイスは、外殼１、レーザーモジュール２、回路モジュール３及び電源モジュール４を備える。
【００１４】
該外殼１内部には、収容設置空間１０を形成し、しかも収容設置空間１０片側には、出光口１１を穿設する。
【００１５】
該レーザーモジュール２は、外殼１の収容設置空間１０内に設置し、出光口１１箇所に隣接する。
【００１６】
該レーザーモジュール２は、中空殼体２１を備え、殼体２１内部には、收納空間２１０を形成する。
【００１７】
しかも、收納空間２１０は、出光口１１から離れた片側に向かい、第一穿孔２１１を設置し、收納空間２１０は、出光口１１に隣接する片側に向かい、第二穿孔２１２を設置する。
【００１８】
さらに、第一穿孔２１１中には、レーザーダイオード２２を取り付け、第二穿孔２１２中には、一体成形の光学プリズム２３を設置する。
【００１９】
光学プリズム２３は、レーザーダイオード２２に隣接する片側に、光線を通過させフォーカス作用を生じるフォーカス部２３１を設置し、フォーカス部２３１は、レーザーダイオード２２から離れた片側に、光線を通過させ偏折現象を生じる屈折部２３２を設置する。
【００２０】
該回路モジュール３は、外殼１の収容設置空間１０内に設置し、レーザーモジュール２が外殼１に相対する出光口１１反対側箇所に位置し、回路板３１を備える。
【００２１】
回路板３１上には、回路モジュール３のオンとオフを制御可能なスイッチ３１１を電気的に連接し、しかも回路板３１上には、処理ユニット３２を設置し、さらに回路板３１片側には、レーザーモジュール２のレーザーダイオード２２と電気的連接を形成する複数の導線３３を設置する。
【００２２】
該電源モジュール４は、外殼１の収容設置空間１０内に設置し、回路モジュール３がレーザーモジュール２に相対する反対側箇所に位置し、少なくとも１個の給電源４１（水銀電池、アルカリ性電池或いはリチウム電池等）を備え、しかも給電源４１片側は、金属バネ４２を通して回路モジュール３に電気的に接触する。
【００２３】
該レーザーモジュール２の光学プリズム２３は、研磨機を用いて光学レンズを研磨し製造し、光学プリズム２３両側には、研磨機を用いて、フォーカス部２３１及び屈折部２３２をそれぞれ研磨して加工し、しかも該屈折部２３２は、異なる角度、弧度或いは形状等を研磨により成形し、これにより通過光線は光点状光型或いは非光点状光型（線状光型、十字光型或いは他の形状の光型など）を呈する。
【００２４】
さらに、該電源モジュール４は好ましくは、外殼１の収容設置空間１０内に、少なくとも１個の給電源４１を設置し、レーザーポインティングデバイスに必要な電気エネルギーを提供するが、実際の応用時には、該電源モジュール４は電源線（電源プラグ、ＵＳＢプラグ等）を利用し、外部電源（電源コンセント、発電機の電源供給コンセント等）に電気的に連接し、外部電源により、レーザーポインティングデバイスの光線発射に必要な電気エネルギーを供給することもできる。
【００２５】
但し、レーザーポインティングデバイスの電源モジュール４の取り付け、設置方法はたくさんあり、レーザーポインティングデバイスが必要とする電気エネルギーを提供することができればそれでよく、これにより本考案の実用新案登録の範囲を限定するものではない。
【００２６】
本考案の実際の使用時には、使用者がレーザーポインティングデバイスのスイッチ３１１をオンにすると、該電源モジュール４の少なくとも１個の給電源４１は、金属バネ４２を通して、電気エネルギーを回路モジュール３に供給する。
【００２７】
これにより、回路モジュール３は処理ユニット３２を利用し、レーザーモジュール２のレーザーダイオード２２を駆動し、外殼１の出光口１１方向へと、レーザー光線を発射し、  レーザー光線２２０は、レーザーモジュール２の光学プリズム２３を通過する。
【００２８】
レーザー光線２２０が光学プリズム２３のフォーカス部２３１に進入すると、フォーカス部２３１によりレーザー光線２２０をフォーカスしレーザービーム２３０とし、屈折部２３２方向へと前進させる。
【００２９】
しかも、レーザービーム２３０が屈折部２３２に進入すると、屈折部２３２を通して、レーザービーム２３０の進行方向を変え、これによりフォーカス部２３１を通過したレーザービーム方向Ｌ１と、屈折部２３２を通過したレーザービーム方向Ｌ２の間には、設定挟角θ（設定挟角θは０〜９０度の間）を呈し、さらに出光口１１箇所から外へと投射され、指示の効果を備える。
【００３０】
レーザービーム２３０は、光学プリズム２３の屈折部２３２を利用し、進行の角度を変えるため、使用者がレーザーポインティングデバイスを手に取る時も、過度に腕を回す必要がなく、水平或いは快適な角度であれば、レーザービーム２３０を必要な位置へと指示することができ、使用の利便性を達成することができる。
【００３１】
しかも、光学プリズム２３の屈折部２３２は、研磨機を用いて研磨し、通過するレーザービーム２３０は屈折現象を生じ、こうして光点状光型２３０１（図２参照）或いは線状光型２３０２（図３参照）或いは十字光型２３０３（図４参照）などの非光点状光型を呈し、さらに外殼１の出光口１１外へと投射され、使用者は異なる使用状況に応じて、それぞれ異なる光型を選択して使用でき、こうして多用途の効果を達成できる。
【００３２】
本考案レーザーモジュール２の光学プリズム２３は、一体成形方式により製造され、該光学プリズム２３のフォーカス部２３１及び屈折部２３２は、一体成形を呈し、別々に製造する必要がなく、加工製造が便利で、組み立て作業を減らす効果を備える。
【００３３】
しかも、外殼１の収容設置空間１０内には、屈折機構（凸レンズ）、反射機構（反射鏡）或いは角度調整機構等を別に設置しなくとも、投射されたレーザービーム２３０は、角度を変え、或いは光点状光型２３０１、線状光型２３０２或いは十字光型２３０３等光型を呈する効果を備え、外殼１の収容設置空間１０を占拠する空間を減らすことができ、これによりレーザーポインティングデバイス全体の体積を縮小でき、こうして携帯に便利で、しかも長時間持っても手がだるくなることはない。
【産業上の利用可能性】
【００３４】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３５】
１  外殼
１０  収容設置空間
１１  出光口
２  レーザーモジュール
２１  殼体
２１０  收納空間
２１１  第一穿孔
２１２  第二穿孔
２２  レーザーダイオード
２２０  レーザー光線
２３  光学プリズム
２３０  レーザービーム
２３０１  光点状光型
２３０２  線状光型
２３０３  十字光型
２３１  フォーカス部
２３２  屈折部
３  回路モジュール
３１  回路板
３１１  スイッチ
３２  処理ユニット
３３  導線
４  電源モジュール
４１  給電源
４２  金属バネ
【図１】
0003214059.tif 000003
【図２】
0003214059.tif 000004
【図３】
0003214059.tif 000005
【図４】
0003214059.tif 000006